(57)【要約】【課題】複数の光スポットからの再生信号を使ってクロストークの影響を低減する光ディスク装置においては安定なクロックの生成を実現することが課題である。【解決手段】各スポットからの再生信号の遅延調整器（２０）をＰＬＬループ（７０）の外部に構成することによってループ遅延を短縮し、安定なフィード・バック制御動作を実現するクロック発生回路を用いる。【効果】クロックの安定な生成が可能となり大容量光ディスクの再生動作を安定化した。【選択図】図１０
2007058887.tif 000002
【特許請求の範囲】
【請求項１】
光ディスク媒体の情報記録面に少なくとも第1の光スポット，第２の光スポット，及び第３の光スポットを結像する手段と，
前記第１の光スポットからの反射光を検出する第１の光検出器と，
前記第２の光スポットからの反射光を検出する第２の光検出器と，
前記第３の光スポットからの反射光を検出する第３の光検出器と，
前記第１の光検出器からの出力信号１のゲインもしくは周波数特性の少なくとも片方を調整する第１のアナログ等化器と，
前記第２の光検出器からの出力信号２のゲインもしくは周波数特性の少なくとも片方を調整する第２のアナログ等化器と，
前記第３の光検出器からの出力信号３のゲインもしくは周波数特性の少なくとも片方を調整する第３のアナログ等化器と，
前記第１のアナログ等化器の出力をディジタル信号１に変換する第１のADコンバータと，
前記第２のアナログ等化器の出力をディジタル信号２に変換する第２のADコンバータと，
前記第３のアナログ等化器の出力をディジタル信号３に変換する第３のADコンバータと，
前記ディジタル信号１の出力信号のゲインもしくは周波数特性の少なくとも片方を調整してディジタル等化信号１を生成する第1のディジタル等化器と，
前記ディジタル信号２のゲインもしくは周波数特性の少なくとも片方を調整してディジタル等化信号２を生成する第２のディジタル等化器と，
前記ディジタル信号３のゲインもしくは周波数特性の少なくとも片方を調整してディジタル等化信号３を生成する第３のディジタル等化器と，
前記ディジタル等化信号１から，前記ディジタル等化信号２及びディジタル等化信号３を減算してクロストーク低減信号を生成するクロストーク・キャンセル演算回路と，
前記クロストーク・キャンセル演算回路の出力信号を２値化する２値化回路と，
前記第１から第３のADコンバータのサンプリング・タイミングを定めるクロック信号を発生するクロック生成回路と，
前記第１から第３の各アナログ等化器と前記第１から第３のADコンバータの間に遅延調整回路を備えることを特徴とする光ディスク装置。
【請求項２】
前記遅延調整回路は、ADコンバータとシフト・レジスタとDAコンバータを備えることを特徴とする請求項１に記載の光ディスク装置。
【請求項３】
前記クロック生成回路への入力信号として，前記ディジタル信号１から前記ディジタル信号２にゲイン１を乗じた値と前記ディジタル信号３にゲイン２を乗じた値とを減算したプリクロストーク低減信号を用いることを特徴とする請求項１に記載の光ディスク装置。
【請求項４】
前記クロック生成回路への入力信号として、前記プリクロストーク低減信号と前記クロストーク低減信号とを切り替えるスイッチを有することを特徴とする請求項３に記載の光ディスク装置。
【請求項５】
前記２値化回路は、目標レベルが再生信号に応じて変化する適応型PRML方式であることを特徴とする請求項１記載の光ディスク装置。
【請求項６】
前記遅延調整回路は、アナログ信号のままシフト・レジスタにより遅延調整を行うアナログ方式の遅延調整回路であることを特徴とする請求項１記載の光ディスク装置。
【請求項７】
光ディスク媒体に照射された３つの光スポットからそれぞれ第１、第２、第３の反射光を検出することによって、前記光ディスク媒体に記録された情報を再生する再生信号処理回路であって、
前記第１の反射光から生成された出力信号１のゲインもしくは周波数特性の少なくとも片方を調整する第１のアナログ等化器と，
前記第２の反射光から生成された出力信号２のゲインもしくは周波数特性の少なくとも片方を調整する第２のアナログ等化器と，
前記第３の反射光から生成された出力信号３のゲインもしくは周波数特性の少なくとも片方を調整する第３のアナログ等化器と，
前記第１のアナログ等化器の出力をディジタル信号１に変換する第１のADコンバータと，
前記第２のアナログ等化器の出力をディジタル信号２に変換する第２のADコンバータと，
前記第３のアナログ等化器の出力をディジタル信号３に変換する第３のADコンバータと，
前記ディジタル信号１の出力信号のゲインもしくは周波数特性の少なくとも片方を調整してディジタル等化信号１を生成する第1のディジタル等化器と，
前記ディジタル信号２のゲインもしくは周波数特性の少なくとも片方を調整してディジタル等化信号２を生成する第２のディジタル等化器と，
前記ディジタル信号３のゲインもしくは周波数特性の少なくとも片方を調整してディジタル等化信号３を生成する第３のディジタル等化器と，
前記ディジタル等化信号１から，前記ディジタル等化信号２及びディジタル等化信号３を減算してクロストーク低減信号を生成するクロストーク・キャンセル演算回路と，
前記クロストーク・キャンセル演算回路の出力信号を２値化する２値化回路と，
前記第１から第３のADコンバータのサンプリング・タイミングを定めるクロック信号を発生するクロック生成回路と，
前記第１から第３の各アナログ等化器と前記第１から第３のADコンバータの間に遅延調整回路を備えることを特徴とする再生信号処理回路。
【発明の詳細な説明】
【技術分野】
【０００１】
本発明は、複数の光スポットを用いて高トラック密度の記録情報の再生を可能にする光ディスク装置及び再生信号処理回路に関する。
【背景技術】
【０００２】
光ディスクの高密度化技術として，複数の光スポットを用いて，隣接トラックからのクロストークの影響を低減するクロストーク・キャンセル技術が提案されている。再生するトラックに主光スポットを，それに隣接する２つのトラックにそれぞれ副光スポットを配置する方式の技術としては，特開平9-320200（対応US5835467）、特開2001-266382、特開平7-176052などに記載されているものがある。また，光ディスク上にクロストーク検出（学習）領域を設け、その領域を3ビームでトレースすることにより、所望のクロストーク・キャンセル条件を得る方法（特開2003-196840、対応US2003/0117914）や，主トラックと隣接トラックの相関関係を用いてアルゴリズムを構成し所望の情報を得る方法（特開2000-113595など）、信号処理系の種々のアルゴリズムにより漏れ信号を除去する方法（特開平5-325196など）が考案されている。
【０００３】
これらの技術においては、主スポットの再生信号から副スポットの再生信号のゲインと周波数特性を調整するために等化処理をした後，減算処理することによりクロストークの影響を低減している。
【０００４】
また，「Jpn. J. Appl. Phys. Vol. 44, No. 5B, pp. 3467-3470  (2005)」及び「Jpn. J. Appl. Phys. Vol. 44, No. 5B, pp. 3445-3448  (2005)」には，PRML(Partial Response Maximum Likelihood)再生技術を基本とした自動等化アルゴリズムを用いて，主スポットと副スポットの再生信号の等化条件を自動的に定める方法が示されている。
【０００５】
図２は「Jpn. J. Appl. Phys. Vol. 44, No. 5B, pp. 3467-3470  (2005)」に記載されているクロストーク・キャンセル方法のブロック図である。図３は「Jpn. J. Appl. Phys. Vol. 44, No. 5B, pp. 3445-3448  (2005)」に記載されているクロストーク・キャンセル方法のブロック図である。これは図２と同じ構成である。これらに開示されている技術では，光ディスク媒体の傾きやトラックオフセット等の影響を自動的にキャンセルすることが可能である。また適応型のPRML方式を併用することによって，線記録密度も同時に高めている。こうした技術を使うことによって，波長405nmのレーザ光源と開口数0.85の対物レンズを用いて直径120 mmの光ディスクで50GBの記憶容量を実現可能なことが示されている。
【０００６】
【特許文献１】特開平9-320200
【０００７】
【特許文献２】特開2001-266382
【特許文献３】特開平7-176052
【特許文献４】特開2003-196840
【特許文献５】特開2000-113595
【特許文献６】特開平5-325196
【非特許文献１】Jpn. J. Appl. Phys. Vol. 44, No. 5B, pp. 3467-3470  (2005)
【非特許文献２】Jpn. J. Appl. Phys. Vol. 44, No. 5B, pp. 3445-3448  (2005)
【発明の開示】
【発明が解決しようとする課題】
【０００８】
さて，光ディスク装置で情報を正しく再生するためには，前述の従来技術に示されているように，クロストークの影響を低減して信号品質を向上し，PRML等の方式により情報の２値化方式を行うことが重要なのは言うまでもない。しかしながら，クロストーク・キャンセル方式及び２値化方式が正しく機能するためには，それらの動作クロックを安定して生成するクロック発生方式が不可欠である。しかしながら，「Jpn. J. Appl. Phys. Vol. 44, No. 5B, pp. 3467-3470  (2005)」及び「Jpn. J. Appl. Phys. Vol. 44, No. 5B, pp. 3445-3448  (2005)」にはクロック発生方式に対する具体的な記載がない。他の従来技術にも，このような高密度条件下での安定したクロック発生方式に関する技術が開示されていない。
【０００９】
本発明が解決しようとする課題を明確にするために，従来の技術の組み合わせによって，クロストーク・キャンセル方式とクロック発生方式から構成される光ディスク装置の再生回路について考えてみる。以下は、本願発明者らによって、初めて検討された事項である。図５は「Jpn. J. Appl. Phys. Vol. 44, No. 5B, pp. 3467-3470  (2005)」に記載されているクロストーク・キャンセル方法に，従来の一般的なPLL（Phase  Locked  Loop）回路によるクロック発生方式を加えたブロック図である。一般的なディジタル方式のPLL回路は位相検出器，ロー・パス・フィルター，及びVCO（Voltage Controlled Oscillator）から構成され，生成されたクロック信号によってAD変換器のサンプル・タイミングが制御させる。PLL回路の動作原理については公知なので省略する。こうしたPLL回路は２次系のフィード・バック制御ループを構成している。また，図中には図２及び図３で簡略化されている３スポットの再生信号の遅延器についても具体的に示してある。遅延量は３つのスポットの間隔に対応している。主スポットと副スポットの間隔は，光検出器上でのビームの分離，及び３スポット間の熱エネルギーの干渉を防ぐために，数μm程度の値になるのが一般的である。従って，主スポットと副スポットの遅延調整量は図に示すように50-150クロック程度である。
【００１０】
図５の構成の問題点はPLL回路の入力信号，すなわちクロック制御のためのリファレンス信号として，クロストーク・キャンセル前の主ビームの再生信号を使わざるを得ない点にある。図４は「Jpn. J. Appl. Phys. Vol. 44, No. 5B, pp. 3445-3448  (2005)」に記載されている記憶容量50GBの条件での再生信号であり，クロストーク・キャンセル前後の信号品質の違いが示されているものである。クロストーク・キャンセル前の信号品質は，隣接トラックの信号の影響によって非常に悪く，また最短信号である２Tの再生信号の振幅は限りなくゼロに近いため，再生信号のエッジにクロックを追従させるPLL回路では安定した動作が困難であった。一方，PLL回路等のクロック発生器のリファレンス信号として，クロストーク・キャンセル後の信号（図中，破線で示した信号パス）を用いた場合，信号品質は良好であるが，遅延器及び等化器の処理時間分だけ，制御ループに遅れが発生してしまう。等化器のタップ数が１０タップ程度の場合，その遅延量は５クロック程度であるから，前述の遅延器2個分(100〜300Tw，Twはクロック間隔)が支配的である。ここで，PLL回路の安定動作のためには，こうした遅延量を少なくとも50クロック以下にはしないと，PLL回路の引き込み時間が大きくなり，ランダムアクセス等による読み出し性能が著しく低下してしまう。
【００１１】
図６から図８は標準的なディジタル方式のPLL回路の引き込み動作のシミュレーション結果である。ここでは，記録密度を50GB/面相当の条件（窓幅57nm,トラックピッチ240nm，１-7符号）にて，初期周波数ずれを1%，ループ遅延を10Twとして，図５の実線のPLLループについて計算したものである。図６はクロストークのない孤立トラックの引き込み過程におけるVCOの発振周波数誤差の計算結果である。図に見られるように，引き込み開始から500Tw後にはクロック周波数ずれはほぼゼロとなって整定し，正常にPLL回路が再生信号に追従していることが判る。
【００１２】
図７は隣接トラックに記録して，クロストークが発生した場合の計算結果である。前述のように，クロストークによる信号品質の低下に影響され，クロック周波数ずれがゼロに近づかないことが判る。
【００１３】
図８は，図６の条件において，ループ遅延を100Twに増やした場合の結果である。例えクロストークがない条件でもループ遅延が大きいとクロック周波数が安定せず，PLL回路が不安定な動作をしていることが判る。
【００１４】
図９はシミュレーションに用いたディジタルPLL回路のモデルである。図中，ロー・パス・フィルター１（LPF1）74を通る信号が位相系の制御パスであり，ロー・パス・フィルター２（LPF2）76，加算器77，バッファー78から構成される積分型のパスが周波数系の制御パスである。
【００１５】
本発明の目的は，こうした問題点を解決し，クロストーク・キャンセル技術と併用するのに好適なクロック発生方法を考案し，大容量で安定した再生性能を有する光ディスク装置を提供することにある。
【課題を解決するための手段】
【００１６】
本発明ではクロストーク・キャンセル処理した信号をリファレンス信号としてPLL回路を動作させるためには，ADコンバータの前に遅延調整機構を設けて，PLLのループ遅延を短くするように工夫すればよい。以下に，回路の動作と効果を説明する。
【００１７】
図１０は本発明の再生信号処理回路のブロック図を示す。図示していない光ヘッドは光ディスクの隣接する3本の情報トラックにスポットを集光し，それぞれの反射光を３つの光検出器で受光し電気信号に変換する。主スポットで再生された信号90はアナログ等化器10によりゲイン又は／及び周波数特性調整、及び等化処理される。同様に副スポットで再生された信号91,92はそれぞれアナログ等化器11,12によりゲイン調整又は／及び周波数特性調整、及び等化処理が施される。遅延調整ユニット20は，前述のように３つのスポットのトラック方向の照射位置の違いを調整する。これらの信号はA/D変換器30，31，32によりディジタル信号に変換される。主スポットからの再生信号は等化器40によりPRMLの目標信号に近づくようにゲインと周波数特性が調整される。副スポットからの再生信号は等化器41,42によりゲイン及び周波数特性の調整と遅延調整ユニットの遅延調整の残留誤差の補正が施される。これらの信号は減算器50により主スポットからの再生信号から差し引かれることにより，クロストークの影響が低減されたクロストーク・キャンセル信号95が得られる。クロストーク・キャンセル信号はPRML(Partial Response Maximum Likelihood)デコーダ60により２値化データ列93に変換され，図示していないフォーマット復号器によって記録情報が再生される。ディジタル方式のPLL回路70は位相検出器71とロー・パス・フィルター72とVCO73から構成され，クロストークの影響が低減された再生信号に対してクロック93が追従するように制御ループを構成する。等化器40，４１，42はディジタル方式のFIR（Finite  Impulse  Response）フィルターである。各タップ係数はPRMLデコーダの目標信号レベルと２値化データ列93を使って合成され，図示していないタップ係数学習ユニットにより，LMS（Least  Mean  Square）法を用いて定められる。こうした自動等化アルゴリズムは周知の技術であり，「Jpn. J. Appl. Phys. Vol. 44, No. 5B, pp. 3445-3448  (2005)」にも具体的な方法が記載されているので，ここでは言及しない。こうした構成にすることによって，図５に示した構成に比較してPLL制御ループの遅延量が劇的に小さくなり，かつクロストーク・キャンセル後の良好な品質の信号をリファレンスとして用いることができるので，安定動作が可能になった。
【発明の効果】
【００１８】
本発明の提供する光ディスク装置を用いることによって，クロストーク・キャンセル方式の回路におけるクロックの安定な生成が可能になり，大容量で高信頼な光メモリが実現できるようになった。
【発明を実施するための最良の形態】
【００１９】
以下、図面を参照して本発明の実施の形態を説明する。
【実施例１】
【００２０】
再生回路
図１は本発明の光ディスク装置の再生回路の１実施例である。基本動作は図１０に説明したものと同様である。本実施例の工夫は，PLL回路70の引き込み時の追従性と安定性を向上するため，プリ・クロストーク・キャンセル信号をPLL回路のリファレンスに使う点にある。プリ・クロストーク・キャンセル信号96はA/D変換器30，31，32によりディジタル信号を用いて，等化器41,42,43の代わりにゲイン積算器51，52と減算器53を用いて生成される。こうした構成によって，等化器によるループ遅延の影響を避けるとともに，DCゲイン補正だけではあるがクロストーク低減処理された信号をPLL回路70に入力することが可能である。ゲイン51の値は等化器41のタップ係数の総和，ゲイン５２の値は等化器４２のタップ係数の総和を用いて適応的に変化させるとよい。これらの値はクロストーク影響量のDC値を意味している。
【００２１】
図１１は本発明の光ディスク装置の再生回路の別の実施例である。本実施例では，PLL回路70のリファレンス信号として，前述のクロストーク・キャンセル信号とプリ・クロストーク・キャンセル信号96を選択的に使用できるように，スイッチ54を設けている点にある。通常の再生時には信号品質がより良好なクロストーク・キャンセル信号95を用いるようにスイッチ54の動作を制御する。一方，アクセス動作時や媒体欠陥からの復帰処理時などのように，PLL回路に高速な応答が必要な場合にはループ遅延の小さなプリ・クロストーク・キャンセルを用いるようにスイッチ54の動作を制御する。こうした構成によって，安定性と高速応答を両立したクロック信号の発生を実現できる。なお，スイッチ54の制御は図示していないCPUからの指示，または図示していないPLL制御シーケンスを内蔵したロジック部からの指示によって実施される。
【００２２】
以上の実施例におけるＰＲＭＬのクラスの選択に関して説明を加える。PRMLのクラスは記録線密度に応じて、適切なものを選択するとよい。青色レーザ光源を用いたＢｌｕ−ｒａｙディスクを基準に例を示すと、例えば、線密度が23-27ＧＢ相当の場合には、ＰＲ（１，２，１），ＰＲ（１，２，２，１）、ＰＲ（１，１，１，１）、ＰＲ（２，３，３，２）等がよい。光ヘッドの光学的カットオフ周波数（λ/NA/4）よりも最短マークが短くなる条件では、より拘束長の長いＰＲ（１，２，２，２，１），ＰＲ（１，２，３，３，２，１）等が適していることが、検討の結果わかっている。また、再生信号のアシンメトリや、記録時の熱干渉等による非線形なシフトを補償して、再生性能を向上するには、「Ｐｒｏｃ．ISOM2003.Tec.Dig.p34-35」に記載されているような、補償型もしくは、適応型ＰＲＭＬと呼ばれる、目標レベルが再生信号に応じて変化するデコード方式を使うとよい。
【００２３】
図１２に補償型PRML方式の２値化回路の構成を示す。デコードユニット60はブランチ・メトリック計算ユニット62，ACS(Add Select Compare)ユニット63，パス・メモリ64，PR目標テーブル65，パターン補償テーブル66から構成される。クロストーク・キャンセル信号95はブランチ・メトリック計算ユニット62内でビット列ごとに目標値との誤差の２乗値（ブランチ・メトリック値）が算出される。このとき目標値として，ビット列に対応した初期目標値はPR目標テーブル65を参照し，ビット列に対応した補償値はパターン補償テーブル66を参照し，両者の値を加えたものを用いる。ACSユニット63では，１時刻前のステート及び各ステートにおけるメトリック値（ステートの遷移にともないブランチ・メトリック値を逐次加算して，かつ発散しないように処理したもの）に各ビット列に対応したブランチ・メトリック値を加える。このとき，現在の時刻のステートに至る遷移過程（通常は２つ，ランレングス制限により１つの場合もある）の中から，メトリック値の小さい方を選択する処理を行う。ステートとは１時刻の遷移に対して保存するビット列のことで，例えばPRクラスビットが4の場合には，ビット列が4ビット，ステートが3ビットで表される。パス・メモリ64にはビット列ごとに複合された2値化結果が十分長い時刻分だけ保存されており，時刻の更新とともにメモリ内容のシフト処理を行い常に最新の結果が保存されるようになっている。ACSユニット63は遷移過程の選択処理の時に，パス・メモリに蓄えられた情報を選択結果に応じて再配列する。こうした処理を繰り返すことによって，パス・メモリ内の情報は次第に統合されて，十分長い時間後には，ビット列に依らず同じ値になる，所謂パス・マージが完結する。2値化データ93は時刻の更新時にパス・メモリ６４から取り出された2値化情報のことである。ここでは、PRクラスの目標値としてPR目標テーブル65を参照する方式を示したが、従来、目標値をハードウェアの積和演算器を使って直接算出する方式が多い。補償型PRML方式では補償値を加算して新たな目標値とし、これにより最も確からしい結果に２値化する方式である。
【００２４】
図１３は遅延調整ユニットのより詳細な構成を示す実施例である。図において遅延調整ユニット20はA/D変換器21,22,23，遅延器24,25,26, D/A変換器27,28,29から構成される。主スポットの再生信号90，及び副スポットの再生信号91と92はそれぞれアナログ等化器10，１１，１２によりゲイン調整及び等化処理が施され，遅延調整ユニット20に入力する。これらはそれぞれA/D変換器21,22,23によりディジタル信号に変換され，遅延器24,25,26により遅延調整が施された後，D/A変換器２７，２８，２９により再びアナログ信号に戻される。ここで遅延器２４，２５，２６はシフト・レジスタで構成されるディジタル遅延器であり，１つの遅延量はトラック方向のスポット間隔に対応した時間量である。図の構成においては，再生信号９２が主スポットに対して時間的に先行した副スポットからの応答であり，再生信号９１が主スポットに対して時間的に遅れた副スポットからの応答である。遅延調整ユニット20の動作は図１に示したPLL回路で生成したクロック９４に同期して制御される。こうした構成によって，アクセス時などのように，ディスクの回転速度がずれている場合でもPLL回路が再生信号に追従したクロックを生成するので，スポット間隔に依存した遅延量の調整が常に正しく実施される利点がある。
【００２５】
図１４は構成の簡略化のため，アナログ・ディレイ・ラインを使った遅延調整ユニットの構成を示す実施例である。この場合も、遅延器２４０，２５０，２６０により遅延調整が施される。この場合，アナログ・ディレイ・ラインは遅延量が半固定であることと，100nsを超える遅延をさせると，再生信号の歪が非常に大きくなるなどの欠点がある。また，遅延量の精度は後段のFIRフィルターによる実効的な遅延補正の範囲が±１Tw程度であるので，この値を超えないように配慮する必要がある。図に示すように，遅延制御信号２７０等の指示によって遅延量が調整可能な素子を使うことが好ましい。こうした遅延量の可変制御は，たとえばゲート遅延などを利用して電流量で制御が可能なものがある。何れにしても，アナログ・ディレイ・ラインを用いる場合には，再生速度が高速な場合や，スポットの間隔を狭くする工夫などを併用して，遅延量が50ns以下にはなるように配慮しなければならない。
【実施例２】
【００２６】
図１６は本発明の遅延調整ユニットによる信号品質の向上効果を示す実験結果である。これは直径120 mmのディスク片面当たり５０GB容量の記録条件での結果であり，「Jpn. J. Appl. Phys. Vol. 44, No. 5B, pp. 3467-3470  (2005)」に記載されているものと同じ実験条件である。図１０のような遅延調整ユニットを付加することによりPLLが安定し，ビットエラー率が1.1x10-4から1x10-6以下に向上した。図中の補償波形は補償型PRMLの補償量を再生信号から差し引いたものであり，信号品質の向上効果がより直感的に評価可能にしたものである。ここでは，遅延調整ユニットがない場合でもPLLがロックする良好な条件において両者の比較をしたが，信号品質が悪化した場合には，両者の差はさらに顕著になる。
【実施例３】
【００２７】
光ディスク装置
図１５は本発明の光ディスク装置の構成を示す実施例である。光ディスク媒体100はモータ160により回転される。再生時にはCPU140によって指令された光強度になるようにレーザパワー／パルス制御器120が光ヘッド110内の半導体レーザ112に流す電流を制御してレーザ光114を発生させる。レーザ光114は対物レンズ111によって集光され光スポット101を光ディスク媒体100上に形成する。この光スポット101からの反射光115は対物レンズ111を介して，光検出器113で検出される。光検出器は複数に分割された光検出素子から構成されている。再生信号処理回路130は，光ヘッド110で検出された信号を用いて，光ディスク媒体100上に記録された情報を再生する。記録時には，レーザパワー／パルス制御器120は，所定の記録データを所定の記録パルス電流に変換して，パルス光が半導体レーザ112から出射されるように制御する。図１に示した本発明の再生回路は再生信号処理回路130に内蔵される。こうした構成によって，クロストーク・キャンセル方式の回路におけるクロックの安定な生成が可能になり，大容量で高信頼な光メモリが実現できるようになった。
【産業上の利用可能性】
【００２８】
本発明は大容量光ディスク装置に用いられる。
【図面の簡単な説明】
【００２９】
【図１】本発明の光ディスク装置の再生回路のブロック図。
【図２】従来のクロストーク・キャンセル方法のブロック図。
【図３】従来のクロストーク・キャンセル方法のブロック図。
【図４】クロストーク・キャンセルによる信号品質の向上を表す図。
【図５】従来の技術の組み合わせによる再生回路のブロック図。
【図６】標準的なディジタル方式のPLL回路の引き込み動作のシミュレーション結果。
【図７】標準的なディジタル方式のPLL回路の引き込み動作のシミュレーション結果。
【図８】標準的なディジタル方式のPLL回路の引き込み動作のシミュレーション結果。
【図９】シミュレーションに用いたディジタルPLL回路のモデル。
【図１０】本発明の再生信号処理回路のブロック図。
【図１１】本発明の再生信号処理回路のブロック図。
【図１２】補償型PRML方式の２値化回路の構成を示す図。
【図１３】遅延調整ユニットの詳細な構成を示す図。
【図１４】遅延調整ユニットの詳細な構成を示す図。
【図１５】本発明の光ディスク装置の構成を示す図。
【図１６】本発明の実験結果を示す図。
【符号の説明】
【００３０】
１０，１１，１２  アナログ等化器
２０  遅延調整ユニット
３０，３１，３２  A/D変換器
４０，４１，４２  等化器
５０  減算器
６０  PRMLデコーダ
７０  PLL回路
９０，９１，９２  再生信号
９３  ２値化データ
９４  クロック
９５  クロストーク・キャンセル信号
９６  プリ・クロストーク・キャンセル信号
１００  光ディスク
１０１  光スポット
１１０  光ヘッド
１１１  対物レンズ
１１２  半導体レーザ
１１３  光検出器
１２０  レーザパワー／パルス制御器
１３０  再生信号処理回路
１４０  ＣＰＵ
１５０  サーボ制御器
１６０  スピンドルモータ
１７０  インターフェース
１８０  ホストコンピュータ。
【図１】
2007058887.tif 000003
【図２】
2007058887.tif 000004
【図３】
2007058887.tif 000005
【図４】
2007058887.tif 000006
【図５】
2007058887.tif 000007
【図６】
2007058887.tif 000008
【図７】
2007058887.tif 000009
【図８】
2007058887.tif 000010
【図９】
2007058887.tif 000011
【図１０】
2007058887.tif 000012
【図１１】
2007058887.tif 000013
【図１２】
2007058887.tif 000014
【図１３】
2007058887.tif 000015
【図１４】
2007058887.tif 000016
【図１５】
2007058887.tif 000017
【図１６】
2007058887.tif 000018